(57)【要約】      （修正有）【課題】操作者が複数の設定項目のうちの一の設定項目を選択した場合に、選択した一の設定項目の内容を新たに表示することによって他の設定項目を非表示にする構成と比較して、他の設定項目を確認するための操作者の操作を軽減する。【解決手段】情報処理装置（画像処理装置１００）は、表示手段（表示部１１１）と、表示制御手段（表示制御部１１５）と、を備える。表示手段は、画面を表示する。表示制御手段は、画面の第１の表示領域に表示された予め定められた数の設定項目のうち、一の設定項目が操作者によって選択された場合に、第１の表示領域には、予め定められた数の設定項目であって一の設定項目を除いた設定項目を表示し、画面の第２の表示領域には、一の設定項目に対応する設定情報を表示する。【選択図】図２
2020135385.tif 000002
【特許請求の範囲】
【請求項１】
画面を表示する表示手段と、
前記画面の第１の表示領域に表示された予め定められた数の設定項目のうち、一の設定項目が操作者によって選択された場合に、当該第１の表示領域には、当該予め定められた数の設定項目であって当該一の設定項目を除いた設定項目を表示し、当該画面の第２の表示領域には、当該一の設定項目に対応する設定情報を表示する表示制御手段と
を備える情報処理装置。
【請求項２】
前記表示制御手段は、前記第１の表示領域において、当該第１の表示領域以外の表示領域に表示される設定項目を除いた前記予め定められた数の設定項目を、予め定められた規則に従って並べて表示すること
を特徴とする請求項１に記載の情報処理装置。
【請求項３】
前記予め定められた規則は、選択された前記一の設定項目との関連性が高い設定項目を優先して表示する規則であること
を特徴とする請求項２に記載の情報処理装置。
【請求項４】
前記予め定められた規則は、操作者の過去の操作履歴に応じて定められた規則であること
を特徴とする請求項２に記載の情報処理装置。
【請求項５】
前記予め定められた規則は、操作者が前記一の設定項目の次の設定項目として選択した頻度の高い設定項目を優先して表示する規則であること
を特徴とする請求項４に記載の情報処理装置。
【請求項６】
前記第１の表示領域は、前記一の設定項目の直下の表示領域が左右に分割された一方の領域であり、前記第２の表示領域は、当該表示領域が左右に分割された他方の領域であること
を特徴とする請求項１に記載の情報処理装置。
【請求項７】
前記表示制御手段は、さらに、前記第１の表示領域に表示された設定項目が操作者によって選択された場合に、当該第１の表示領域には、選択された当該設定項目と前記一の設定項目とを除いた設定項目であって前記予め定められた数の設定項目を表示し、前記第２の表示領域には、選択された当該設定項目に対応する設定情報を表示すること
を特徴とする請求項１に記載の情報処理装置。
【請求項８】
前記表示制御手段は、前記第１の表示領域と前記第２の表示領域とは別の表示領域に、操作者によって選択された設定項目を選択された順番に並べて表示し、選択された当該設定項目のそれぞれについて、操作者によって採用された設定情報を表示すること
を特徴とする請求項７に記載の情報処理装置。
【請求項９】
前記表示制御手段は、前記一の設定項目が操作者によって選択された場合に、当該一の設定項目が選択される前に画面に表示されていなかった設定項目を前記第１の表示領域に新たに表示すること
を特徴とする請求項１に記載の情報処理装置。
【請求項１０】
複数の設定項目の一覧を表示する表示手段と、
前記一覧が表示された画面において、一の設定項目が操作者によって選択された場合に、当該画面内に新たに表示領域を設け、当該一の設定項目に対応する設定情報を当該表示領域に表示するとともに、当該画面に表示される設定項目の数が当該一の設定項目を選択する前の状態から減らないように、他の設定項目を当該画面に表示する表示制御手段と
を備える情報処理装置。
【請求項１１】
画面を表示する表示手段と、
前記画面の第１の表示領域に表示された複数の設定項目のうち、一の設定項目が操作者によって選択された場合に、当該第１の表示領域には、当該複数の設定項目とは別の設定項目を新たに表示するとともに当該一の設定項目を表示せず、当該画面の第２の表示領域には、当該一の設定項目に対応する設定情報を表示する表示制御手段と
を備える情報処理装置。
【請求項１２】
コンピュータに、
画面を表示する機能と、
前記画面の第１の表示領域に表示された予め定められた数の設定項目のうち、一の設定項目が操作者によって選択された場合に、当該第１の表示領域には、当該予め定められた数の設定項目であって当該一の設定項目を除いた設定項目を表示し、当該画面の第２の表示領域には、当該一の設定項目に対応する設定情報を表示するように制御する機能と
を実現させるためのプログラム。
【発明の詳細な説明】
【技術分野】
【０００１】
本発明は、情報処理装置及びプログラムに関する。
【背景技術】
【０００２】
例えば、引用文献１には、表示領域を複数のサブペインに分割して表示する技術として、ウェブサイトインターフェースの構築方法であって、第一数字を有するウェブサイトインターフェースの特色群を決定する工程と、スクリーン領域を第二数字を有するサブペイン群に分割し、これにより、数個のサブペインがスクリーンをカバーする工程と、特色群の各特色をサブペイン中の一サブペインに設計する工程と、からなり、第二数字は、第一数字と等しいかそれより大きいことを特徴とするウェブサイトインターフェースの構築方法が開示されている。
【先行技術文献】
【特許文献】
【０００３】
【特許文献１】特開２００７−１５７１１１号公報
【発明の概要】
【発明が解決しようとする課題】
【０００４】
複数の設定項目を表示し、操作者が複数の設定項目の中から一の設定項目を選択する場合がある。ここで、操作者が選択した一の設定項目の内容が新たに表示された結果、他の設定項目が表示されなくなり、操作者は、例えば画面をスクロールする操作を行うことによって、他の設定項目を確認することがあった。
本発明の目的は、操作者が複数の設定項目のうちの一の設定項目を選択した場合に、選択した一の設定項目の内容を新たに表示することによって他の設定項目を非表示にする構成と比較して、他の設定項目を確認するための操作者の操作を軽減することにある。
【課題を解決するための手段】
【０００５】
請求項１に記載の発明は、画面を表示する表示手段と、前記画面の第１の表示領域に表示された予め定められた数の設定項目のうち、一の設定項目が操作者によって選択された場合に、当該第１の表示領域には、当該予め定められた数の設定項目であって当該一の設定項目を除いた設定項目を表示し、当該画面の第２の表示領域には、当該一の設定項目に対応する設定情報を表示する表示制御手段とを備える情報処理装置である。
請求項２に記載の発明は、前記表示制御手段は、前記第１の表示領域において、当該第１の表示領域以外の表示領域に表示される設定項目を除いた前記予め定められた数の設定項目を、予め定められた規則に従って並べて表示することを特徴とする請求項１に記載の情報処理装置である。
請求項３に記載の発明は、前記予め定められた規則は、選択された前記一の設定項目との関連性が高い設定項目を優先して表示する規則であることを特徴とする請求項２に記載の情報処理装置である。
請求項４に記載の発明は、前記予め定められた規則は、操作者の過去の操作履歴に応じて定められた規則であることを特徴とする請求項２に記載の情報処理装置である。
請求項５に記載の発明は、前記予め定められた規則は、操作者が前記一の設定項目の次の設定項目として選択した頻度の高い設定項目を優先して表示する規則であることを特徴とする請求項４に記載の情報処理装置である。
請求項６に記載の発明は、前記第１の表示領域は、前記一の設定項目の直下の表示領域が左右に分割された一方の領域であり、前記第２の表示領域は、当該表示領域が左右に分割された他方の領域であることを特徴とする請求項１に記載の情報処理装置である。
請求項７に記載の発明は、前記表示制御手段は、さらに、前記第１の表示領域に表示された設定項目が操作者によって選択された場合に、当該第１の表示領域には、選択された当該設定項目と前記一の設定項目とを除いた設定項目であって前記予め定められた数の設定項目を表示し、前記第２の表示領域には、選択された当該設定項目に対応する設定情報を表示することを特徴とする請求項１に記載の情報処理装置である。
請求項８に記載の発明は、前記表示制御手段は、前記第１の表示領域と前記第２の表示領域とは別の表示領域に、操作者によって選択された設定項目を選択された順番に並べて表示し、選択された当該設定項目のそれぞれについて、操作者によって採用された設定情報を表示することを特徴とする請求項７に記載の情報処理装置である。
請求項９に記載の発明は、前記表示制御手段は、前記一の設定項目が操作者によって選択された場合に、当該一の設定項目が選択される前に画面に表示されていなかった設定項目を前記第１の表示領域に新たに表示することを特徴とする請求項１に記載の情報処理装置である。
請求項１０に記載の発明は、複数の設定項目の一覧を表示する表示手段と、前記一覧が表示された画面において、一の設定項目が操作者によって選択された場合に、当該画面内に新たに表示領域を設け、当該一の設定項目に対応する設定情報を当該表示領域に表示するとともに、当該画面に表示される設定項目の数が当該一の設定項目を選択する前の状態から減らないように、他の設定項目を当該画面に表示する表示制御手段とを備える情報処理装置である。
請求項１１に記載の発明は、画面を表示する表示手段と、前記画面の第１の表示領域に表示された複数の設定項目のうち、一の設定項目が操作者によって選択された場合に、当該第１の表示領域には、当該複数の設定項目とは別の設定項目を新たに表示するとともに当該一の設定項目を表示せず、当該画面の第２の表示領域には、当該一の設定項目に対応する設定情報を表示する表示制御手段とを備える情報処理装置である。
請求項１２に記載の発明は、コンピュータに、画面を表示する機能と、前記画面の第１の表示領域に表示された予め定められた数の設定項目のうち、一の設定項目が操作者によって選択された場合に、当該第１の表示領域には、当該予め定められた数の設定項目であって当該一の設定項目を除いた設定項目を表示し、当該画面の第２の表示領域には、当該一の設定項目に対応する設定情報を表示するように制御する機能とを実現させるためのプログラムである。
【発明の効果】
【０００６】
請求項１記載の発明によれば、操作者が複数の設定項目のうちの一の設定項目を選択した場合に、選択した一の設定項目の内容を新たに表示することによって他の設定項目を非表示にする構成と比較して、他の設定項目を確認するための操作者の操作を軽減することができる。
請求項２記載の発明によれば、第１の表示領域以外の表示領域に表示される設定項目と同じ設定項目を第１の表示領域にも表示する構成と比較して、より多くの設定項目を画面に表示することができる。
請求項３記載の発明によれば、操作者が選択した設定項目との関連性の高い設定項目を優先して表示することができる。
請求項４記載の発明によれば、操作者の過去の操作に応じて設定項目を表示することができる。
請求項５記載の発明によれば、操作者が一の設定項目を選択した次の設定項目として選択する可能性の高い設定項目を優先して表示することができる。
請求項６記載の発明によれば、操作者が選択した一の設定項目の直下に、当該一の設定項目に対応する設定情報を表示するとともに、当該一の設定項目を除いた設定項目を表示することができる。
請求項７記載の発明によれば、より確実に、他の設定項目を確認するための操作者の操作を軽減することができる。
請求項８記載の発明によれば、操作者が選択した設定項目のそれぞれについて採用された設定情報を、まとめて確認することができる。
請求項９記載の発明によれば、より確実に、他の設定項目を確認するための操作者の操作を軽減することができる。
請求項１０記載の発明によれば、操作者が複数の設定項目のうちの一の設定項目を選択した場合に、選択した一の設定項目の内容を新たに表示することによって他の設定項目を非表示にする構成と比較して、他の設定項目を確認するための操作者の操作を軽減することができる。
請求項１１記載の発明によれば、操作者が複数の設定項目のうちの一の設定項目を選択した場合に、選択した一の設定項目の内容を新たに表示することによって他の設定項目を非表示にする構成と比較して、他の設定項目を確認するための操作者の操作を軽減することができる。
請求項１２記載の発明によれば、操作者が複数の設定項目のうちの一の設定項目を選択した場合に、選択した一の設定項目の内容を新たに表示することによって他の設定項目を非表示にする構成と比較して、他の設定項目を確認するための操作者の操作を軽減する機能を、コンピュータにより実現できる。
【図面の簡単な説明】
【０００７】
【図１】本実施の形態に係る画像処理装置のハードウェア構成例を示す図である。
【図２】本実施の形態に係る画像処理装置の機能構成例を示したブロック図である。
【図３】表示部における座標の一例を示す図である。
【図４】設定項目一覧において最初に設定項目が選択された場合の処理手順の一例を示したフローチャートである。
【図５】設定項目一覧において最初に設定項目が選択された後、第１の表示領域において設定項目が選択された場合の処理手順の一例を示したフローチャートである。
【図６】一の設定項目と他の設定項目との関連性を示す情報の一例を示す図である。
【図７】（Ａ）〜（Ｃ）は、表示制御部による表示制御の処理の具体例を説明するための図である。
【図８】（Ａ）、（Ｂ）は、表示制御部による表示制御の処理の具体例を説明するための図である。
【図９】（Ａ）、（Ｂ）は、表示制御部による表示制御の処理の具体例を説明するための図である。
【図１０】本実施の形態が適用されるコンピュータのハードウェア構成例を示した図である。
【発明を実施するための形態】
【０００８】
以下、添付図面を参照して、本発明の実施の形態について詳細に説明する。
【０００９】
＜画像処理装置のハードウェア構成＞
まず、本実施の形態に係る画像処理装置１００のハードウェア構成について説明する。
本実施の形態に係る画像処理装置１００は、例えば、プリント機能、スキャン機能、コピー機能及びファクシミリ（facsimile、以下「ＦＡＸ」と称する）機能等の各種の画像処理機能を有し、画像処理を実行する装置である。例えば、画像処理装置１００は、プリント機能により、用紙に画像を形成して印刷を行う。また、画像処理装置１００は、ＦＡＸ機能により画像データを受信し、受信した画像データに基づいて印刷を行ったり、宛先の他装置に対して画像データを送信したりする。
本実施の形態において、画像処理装置１００は、情報処理装置の一例として用いられる。
【００１０】
図１は、本実施の形態に係る画像処理装置１００のハードウェア構成例を示す図である。
図示するように、本実施の形態に係る画像処理装置１００は、ＣＰＵ（Central Processing Unit）１０１、ＲＯＭ（Read Only Memory）１０２、ＲＡＭ（Random Access Memory）１０３、表示機構１０４、画像読取部１０５、画像形成部１０６、画像処理部１０７、通信部１０８、記憶装置１０９を備える。なお、これらの各機能部は、バス１１０に接続されており、このバス１１０を介してデータの授受を行う。
【００１１】
ＣＰＵ１０１は、各種プログラムを実行する。また、ＲＯＭ１０２は、ＣＰＵ１０１により実行される制御プログラムを記憶している。そして、ＣＰＵ１０１は、ＲＯＭ１０２に記憶されている制御プログラムを読み出し、ＲＡＭ１０３を作業エリアにして制御プログラムを実行する。ＣＰＵ１０１により制御プログラムが実行されると、画像処理装置１００における各機能が実現される。これにより、例えば、表示機構１０４に予め定められた表示がなされる。また、用紙への画像形成や、画像読取部１０５にセットされた原稿の読み取りが行われる。
【００１２】
表示機構１０４は、各種情報を表示するとともに、操作者からの操作を受け付ける。この表示機構１０４は、液晶ディスプレイ等で構成された表示パネル、表示パネルの上に配置され、操作者による接触が行われたことを検知するタッチパネル、操作者により押下される物理キー等から構成される。そして、表示機構１０４は、例えば、各種画面を表示パネルに表示したり、タッチパネル及び物理キーにより操作者からの操作を受け付けたりする。
【００１３】
なお、接触を検知する手段としては、接触による圧力をもとに検知する手段や、接触した物の静電気をもとに検知する手段等、どのようなものが用いられてもよい。
また、以下の説明では、操作者の指がタッチパネルに触れることによる操作を接触操作として説明するが、接触操作は、操作者の指が接触する場合に限られない。例えば、操作者が持つスタイラスペン等により接触操作が行われることとしてもよい。
【００１４】
画像読取部１０５は、文書を読み取り、読み取った文書の画像を表す画像データを生成する。ここで、画像読取部１０５は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００１５】
画像形成部１０６は、用紙等の記録媒体に画像を形成する印刷機構を備えている。ここで、画像形成部１０６は、例えばプリンタであり、感光体に付着させたトナーを記録媒体に転写して像を形成する電子写真方式や、インクを記録媒体上に吐出して像を形成するインクジェット方式のものを用いるとよい。
【００１６】
画像処理部１０７は、入力される画像データに色補正や階調補正等の画像処理を施すものであり、画像処理が施された画像データを生成して画像形成部１０６等へ出力する。
【００１７】
通信部１０８は、不図示の通信回線に接続されており、通信回線に接続されている他装置と通信を行う通信インタフェースとして機能する。例えば、ＦＡＸ機能が実行される場合には、画像読取部１０５にて読み取った文書の画像データが通信部１０８によって宛先の他装置へ送信される。
【００１８】
記憶装置１０９は、ハードディスク装置などの記憶領域を具備しており、例えば通信部１０８で受信したデータや画像処理装置１００で生成されたデータ等を記憶する。
【００１９】
＜画像処理装置の機能構成＞
次に、本実施の形態に係る画像処理装置１００の機能構成について説明する。図２は、本実施の形態に係る画像処理装置１００の機能構成例を示したブロック図である。本実施の形態に係る画像処理装置１００は、表示部１１１、操作検知部１１２、ジェスチャー判別部１１３、設定項目記憶部１１４、表示制御部１１５、ユーザ認証部１１６、操作履歴記憶部１１７を備える。
【００２０】
表示手段の一例としての表示部１１１は、表示機構１０４の表示パネルであり、表示制御部１１５から出力される制御信号に基づいて各種画面を表示する。
ここで、表示部１１１は、例えば、画像処理装置１００において実行可能な画像処理の機能（例えば、コピー機能やプリント機能）を示す各種のアイコンが配置されたホーム画面や、画像処理の機能の詳細な設定を行うための詳細設定画面を表示する。詳細設定画面には、画像処理の機能における複数の設定項目の一覧（以下、「設定項目一覧」と称する）が表示される。設定項目一覧の詳細については、後述する。
【００２１】
操作検知部１１２は、表示部１１１上での操作者による接触操作を検知し、検知した接触操作をジェスチャー判別部１１３に出力する。ここで、操作検知部１１２は、表示部１１１において直交座標系を考え、表示部１１１に操作者の指が接触した場合に、接触されたポイントの座標を検知してジェスチャー判別部１１３に出力する。付言すると、操作検知部１１２は、接触操作が行われている間、ジェスチャー判別部１１３に対して、接触操作を検知していること、接触が行われている表示部１１１上の位置情報（座標）、及び、接触操作を検知した時刻等の情報を出力する。
【００２２】
図３は、表示部１１１における座標の一例を示す図である。図３に示す例では、表示部１１１において直交座標系が設定され、表示部１１１の中心を原点Ｏ１（０、０）とし、表示部１１１の横方向をＸ軸（図中右方向が正）、縦方向をＹ軸（図中上方向が正）とする。例えば、表示部１１１の形状を基準として、表示部１１１の横枠がＸ軸、表示部１１１の縦枠がＹ軸とされる。また、座標の値の単位は、原点Ｏ１から数えた画素の数である。そして、指が表示部１１１に接触すると、操作検知部１１２は、接触されたポイントのＸ座標（Ｘ１）、Ｙ座標（Ｙ１）を検知して、ジェスチャー判別部１１３に出力する。
【００２３】
ジェスチャー判別部１１３は、操作検知部１１２から受け取った情報を基に、操作検知部１１２にて検知された接触操作（即ち、ジェスチャー）の種類を判別する。
ここで、ジェスチャー判別部１１３は、例えば、「タップ」、「ドラッグ」、「フリック」等の接触操作を判別する。「タップ」とは、画面を軽く叩くようにして操作者の指が触れる操作である。タップ操作を示す情報が入力されると、ジェスチャー判別部１１３は、タップされた位置を選択する入力を受け付けたものとする。例えば、アイコンに対してタップ操作が行われると、ジェスチャー判別部１１３は、アイコンを選択する指示を受け付けたものとする。また、「ドラッグ」とは、操作者の指が画面に触れた状態で、操作者がそのまま指を移動させる操作である。「フリック」とは、指が表示部１１１に触れた状態で、操作者が指を払うように離す操作である。「ドラッグ」や「フリック」の操作により、例えば、画面がスクロールされる。
【００２４】
設定項目記憶部１１４は、画像処理の機能毎に、設定項目一覧を記憶する。
例えば、コピー機能の場合、設定項目一覧として、出力結果の色を設定する項目、用紙の両面にコピーするか片面にコピーするかを設定する項目、拡大率（又は縮小率）を設定する項目などの各種の設定項目が記憶される。
また、各設定項目では、設定項目に対応する設定情報も記憶される。例えば、出力結果の色を設定する項目の場合、「カラー」、「白黒」、「自動」などの設定情報が存在する。これらの設定情報では、実際の処理で使用される設定情報がデフォルト（即ち、初期設定）で指定されているが、操作者がその指定を変更することも可能である。
さらに、設定項目一覧では、設定項目を表示する順番が予め定められている。表示制御部１１５は、設定項目一覧を表示する場合、予め定められた順番に従って、設定項目を並べて表示する。
【００２５】
表示制御手段の一例としての表示制御部１１５は、表示部１１１における表示を制御するための制御信号を生成し、表示部１１１の表示を制御する。
例えば、表示制御部１１５は、画面に、設定項目一覧を表示する。ここで、設定項目一覧の設定項目が操作者によって選択された場合、表示制御部１１５は、選択された設定項目を、画面内の予め定められた位置に配置する。予め定められた位置とは、例えば、画面内の上部の位置である。また、表示制御部１１５は、選択された設定項目の直下に、新たに表示領域を確保する。この表示領域を左右に分割した一方の表示領域（例えば、右側の領域）を第１の表示領域、左右に分割した他方の表示領域（例えば、左側の領域）を第２の表示領域とする。
【００２６】
そして、表示制御部１１５は、第１の表示領域には、予め定められた数の設定項目であって、操作者によって選択された設定項目を除いた設定項目を表示する。第１の表示領域には、操作者によってまだ選択されていない設定項目が表示され、操作者は、続けて、第１の表示領域に表示された設定項目の選択が可能である。
他方、表示制御部１１５は、第２の表示領域には、操作者によって選択された設定項目に対応する設定情報を表示する。ここでは、初期設定として何れかの設定情報が指定された状態で表示されるが、操作者がその指定を変更することも可能である。
【００２７】
次に、操作者が第１の表示領域に表示された予め定められた数の設定項目のうち、何れかの設定項目を選択すると、表示制御部１１５は、選択された設定項目を、前回選択された設定項目が配置されている位置（即ち、画面内の予め定められた位置）に表示する。また、第１の表示領域には、予め定められた数の設定項目であって、操作者によって選択された設定項目を除いた設定項目を表示する。他方、第２の表示領域には、操作者によって選択された設定項目に対応する設定情報を表示する。
【００２８】
なお、表示制御部１１５は、第１の表示領域に設定項目を表示する際には、予め定められた規則に従って、設定項目を表示する。予め定められた規則は、例えば、操作者によってまだ選択されていない設定項目を対象として、設定項目を表示する順番として予め定められた順番に従って表示する規則である。
また、例えば、第１の表示領域の上の表示領域や下の表示領域など、第１の表示領域以外の表示領域にも設定項目を表示してもよい。そこで、表示制御部１１５は、操作者によってまだ選択されていない設定項目であって、且つ、第１の表示領域以外の表示領域に表示されていない設定項目を対象として、予め定められた規則に従って、第１の表示領域に設定項目を表示してもよい。
【００２９】
ユーザ認証部１１６は、画像処理装置１００を操作する操作者に対する認証を行う。例えば、操作者が、表示部１１１で認証に必要な情報（例えば、操作者ＩＤやパスワード）を入力すると、ユーザ認証部１１６は、入力された情報が事前に登録された情報と一致するか否かを判定する。入力された情報が事前に登録された情報と一致する場合、ユーザ認証部１１６は、操作者を認証する。操作者が認証されると、操作者がログインした状態になり、それ以降の画像処理装置１００に対する操作が、ログインした操作者の操作として記憶される。
なお、本実施の形態では、認証の手法は限定されない。例えば、操作者が、自身の社員証などのＩＣ（Integrated Circuit）カードを画像処理装置１００のＩＣカードリーダー（不図示）に翳すことにより、操作者を特定し、認証を行ってもよい。
【００３０】
操作履歴記憶部１１７は、操作者の操作履歴を操作者毎に記憶する。ここで、操作履歴記憶部１１７は、操作者がログインした状態でなされた操作（例えば、表示部１１１上での操作）を、ログインした操作者の操作として記憶する。
【００３１】
そして、画像処理装置１００を構成する各機能部は、ソフトウェアとハードウェア資源とが協働することにより実現される。具体的には、例えば、画像処理装置１００を図１に示したハードウェア構成にて実現した場合、ＲＯＭ１０２や記憶装置１０９等に記憶された各種プログラムが、ＲＡＭ１０３に読み込まれてＣＰＵ１０１に実行されることにより、図２に示す操作検知部１１２、ジェスチャー判別部１１３、表示制御部１１５、ユーザ認証部１１６が実現される。表示部１１１は、例えば、表示機構１０４により実現される。設定項目記憶部１１４、操作履歴記憶部１１７は、例えば、記憶装置１０９により実現される。
【００３２】
＜表示制御の処理手順＞
次に、表示制御部１１５による表示制御の処理手順について説明する。
なお、以下では、処理のステップを記号の「Ｓ」と表記する場合がある。
【００３３】
図４は、設定項目一覧において最初に設定項目が選択された場合の処理手順の一例を示したフローチャートである。ここでは、一例として、コピー機能における設定項目一覧が画面に表示されているものとする。また、図４の処理は、例えば定期的（例えば１０ミリ秒毎）に実行される。さらに、表示制御部１１５は、設定項目を表示する順番として予め定められた順番に従って、第１の表示領域に設定項目を表示するものとして説明する。
【００３４】
まず、表示制御部１１５は、画面に表示された設定項目一覧において、設定項目が選択されたか否かを判定する（Ｓ１０１）。ここで、例えば、操作検知部１１２が操作者による接触操作を検知し、ジェスチャー判別部１１３が接触操作の種類を判別する。そして、画面に表示された設定項目一覧の何れかの設定項目に対して「タップ」の操作がされた場合、表示制御部１１５は、設定項目が選択されたと判定する。
なお、設定項目一覧には、画面に表示されている設定項目の他に、画面に表示されていない設定項目も存在する。画面に表示されていない設定項目は、操作者がスクロールの操作をすることにより、画面に表示される。
【００３５】
Ｓ１０１で否定の判断（ＮＯ）がされた場合、本処理フローは終了する。
Ｓ１０１で肯定の判断（ＹＥＳ）がされた場合、表示制御部１１５は、選択された設定項目を画面内の上部に配置して、選択された設定項目の直下に、表示領域を確保する（Ｓ１０２）。次に、表示制御部１１５は、Ｓ１０２で表示領域が確保できたか否かを判定する（Ｓ１０３）。
【００３６】
Ｓ１０３で否定の判断（ＮＯ）がされた場合、本処理フローは終了する。Ｓ１０３で否定の判断（ＮＯ）がされる場合は、例えば、新たな情報を表示可能な空き領域が足りない場合である。この場合には表示領域は確保されず、Ｓ１０４〜Ｓ１１０の処理とは異なる処理で画面が表示される。
一方、Ｓ１０３で肯定の判断（ＹＥＳ）がされた場合、表示制御部１１５は、Ｓ１０２で確保した表示領域のうち、左右に分割した一方の表示領域である第２の表示領域に、Ｓ１０１で選択された設定項目に対応する設定情報を配置する（Ｓ１０４）。
【００３７】
次に、表示制御部１１５は、設定項目一覧において、操作者が未選択で、且つ、後述するＳ１０６でまだ抽出されていない設定項目が存在するか否かを判定する（Ｓ１０５）。ここでは、設定項目一覧において、画面に表示されている設定項目の他に、画面に表示されていない設定項目も対象として、操作者が未選択で、且つ、まだ抽出されていない設定項目が存在するか否かが判定される。
【００３８】
Ｓ１０５で否定の判断（ＮＯ）がされた場合、後述のＳ１１０へ移行する。
一方、Ｓ１０５で肯定の判断（ＹＥＳ）がされた場合、表示制御部１１５は、操作者が未選択、且つ、まだ抽出されていない設定項目のうち、最も上位の設定項目を抽出する（Ｓ１０６）。この例において、最も上位の設定項目とは、設定項目を表示する順番として予め定められた順番で、最も上位の設定項目である。
【００３９】
次に、表示制御部１１５は、Ｓ１０６で抽出した設定項目が、画面内で、Ｓ１０２で確保した表示領域以外の表示領域に表示されるか否かを判定する（Ｓ１０７）。Ｓ１０７で肯定の判断（ＹＥＳ）がされた場合、Ｓ１０５に移行する。Ｓ１０７で否定の判断（ＮＯ）がされた場合、表示制御部１１５は、Ｓ１０２で確保した表示領域のうち、左右に分割した他方の表示領域である第１の表示領域に、Ｓ１０６で抽出した設定項目を配置する（Ｓ１０８）。
【００４０】
次に、表示制御部１１５は、第１の表示領域に、設定項目を配置するための空きがあるか否かを判定する（Ｓ１０９）。ここでは、第１の表示領域に、予め定められた数の設定項目がまだ配置されていなければ、肯定の判断（ＹＥＳ）がされる。一方、予め定められた数の設定項目が配置済みであれば、否定の判断（ＮＯ）がされる。
【００４１】
Ｓ１０９で肯定の判断（ＹＥＳ）がされた場合、Ｓ１０５に移行する。
一方、Ｓ１０９で否定の判断（ＮＯ）がされた場合、表示制御部１１５は、画面を更新する（Ｓ１１０）。画面の更新により、第２表示領域には、操作者が選択した設定項目に対応する設定情報が表示される。また、第１表示領域には、設定項目が並べて表示される。さらに、第２表示領域と第１表示領域とを除く表示領域には、第１表示領域に表示されていない設定項目等が表示される。そして、本処理フローは終了する。
【００４２】
次に、図５は、設定項目一覧において最初に設定項目が選択された後、第１の表示領域において設定項目が選択された場合の処理手順の一例を示したフローチャートである。図５の処理は、例えば定期的（例えば１０ミリ秒毎）に実行される。
【００４３】
まず、表示制御部１１５は、第１の表示領域において、設定項目が選択されたか否かを判定する（Ｓ２０１）。ここでは、図４のＳ１０１と同様に、判定が行われる。
Ｓ２０１で否定の判断（ＮＯ）がされた場合、本処理フローは終了する。
Ｓ２０１で肯定の判断（ＹＥＳ）がされた場合、表示制御部１１５は、Ｓ２０１で選択された設定項目を、前回選択された設定項目が配置されている位置に、新たに配置する（Ｓ２０２）。付言すると、表示制御部１１５は、Ｓ２０１で選択された設定項目を、第２の表示領域及び第１の表示領域の直上に配置する。
【００４４】
次に、表示制御部１１５は、第２の表示領域に、Ｓ２０１で選択された設定項目に対応する設定情報を配置する（Ｓ２０３）。次に、表示制御部１１５は、設定項目一覧において、操作者が未選択で、且つ、後述するＳ２０５でまだ抽出されていない設定項目が存在するか否かを判定する（Ｓ２０４）。ここでは、図４のＳ１０５と同様に、設定項目一覧において、画面に表示されている設定項目の他に、画面に表示されていない設定項目も対象として、操作者が未選択で、且つ、まだ抽出されていない設定項目が存在するか否かが判定される。
【００４５】
Ｓ２０４で否定の判断（ＮＯ）がされた場合、後述のＳ２０９へ移行する。
一方、Ｓ２０４で肯定の判断（ＹＥＳ）がされた場合、表示制御部１１５は、操作者が未選択、且つ、まだ抽出されていない設定項目のうち、最も上位の設定項目を抽出する（Ｓ２０５）。この例において、最も上位の設定項目とは、設定項目を表示する順番として予め定められた順番で、最も上位の設定項目である。
【００４６】
次に、表示制御部１１５は、Ｓ２０５で抽出した設定項目が、画面内で、第１の表示領域以外の表示領域に表示されるか否かを判定する（Ｓ２０６）。Ｓ２０６で肯定の判断（ＹＥＳ）がされた場合、Ｓ２０４に移行する。Ｓ２０６で否定の判断（ＮＯ）がされた場合、表示制御部１１５は、Ｓ２０５で抽出した設定項目を、第１の表示領域に配置する（Ｓ２０７）。
【００４７】
次に、表示制御部１１５は、第１の表示領域に、設定項目を配置するための空きがあるか否かを判定する（Ｓ２０８）。ここでは、図４のＳ１０９と同様に、判定が行われる。
Ｓ２０８で肯定の判断（ＹＥＳ）がされた場合、Ｓ２０４に移行する。
一方、Ｓ２０８で否定の判断（ＮＯ）がされた場合、表示制御部１１５は、画面を更新する（Ｓ２０９）。画面の更新により、第２表示領域には、操作者が選択した設定項目に対応する設定情報が表示される。また、第１表示領域には、設定項目が並べて表示される。さらに、第２表示領域と第１表示領域とを除く表示領域には、第１表示領域に表示されていない設定項目等が表示される。そして、本処理フローは終了する。
【００４８】
＜予め定められた規則の他の例＞
次に、第１の表示領域に設定項目を表示する際の予め定められた規則の他の例について説明する。
図４及び図５に示す例では、予め定められた規則を、設定項目を表示する順番として予め定められた順番に従って表示する規則とした。しかし、本実施の形態では、このような規則に従って設定項目を表示する構成に限られない。
【００４９】
（選択された設定項目との関連性に基づいて表示する例）
表示制御部１１５は、操作者が選択した設定項目との関連性に基づいて、第１の表示領域に設定項目を表示してもよい。例えば、予め定められた規則を、操作者が選択した設定項目との関連性が高い設定項目を優先して表示する規則としてもよい。
例えば、設定項目一覧では、設定項目毎に、他の設定項目との関連性が予め定められている。図６は、一の設定項目と他の設定項目との関連性を示す情報の一例を示す図である。
【００５０】
図６に示す例では、コピー機能の設定項目一覧を示している。そして、各設定項目について、関連性の高い他の設定項目が定められている。
例えば、「Ｃｏｌｏｒ  Ｍｏｄｅ」は、出力結果の色を設定する項目である。この「Ｃｏｌｏｒ  Ｍｏｄｅ」について、関連性が最も高い他の設定項目は、優先候補１「Ｒｅｄｕｃｅ／Ｅｎｌａｒｇｅ」である。次に関連性が高い他の設定項目は、優先候補２「Ｐａｐｅｒ  Ｓｕｐｐｌｙ」、その次に関連性が高い他の設定項目は、優先候補３「Ｐｒｅｖｉｅｗ」である。
同様に、例えば、「２  Ｓｉｄｅｄ  Ｃｏｐｙｉｎｇ」については、関連性が高い他の設定項目として、関連性が高い順に、「Ｎ−ｕｐ」、「Ｃｏｌｏｒ  Ｍｏｄｅ」、「Ｐｒｅｖｉｅｗ」、「Ｒｅｄｕｃｅ／Ｅｎｌａｒｇｅ」、「Ｐａｐｅｒ  Ｓｕｐｐｌｙ」が定められている。
【００５１】
そして、例えば、操作者が、画面に表示された設定項目一覧において、最初に「Ｃｏｌｏｒ  Ｍｏｄｅ」を選択すると、第１の表示領域には、「Ｃｏｌｏｒ  Ｍｏｄｅ」との関連性に従って、「Ｒｅｄｕｃｅ／Ｅｎｌａｒｇｅ」、「Ｐａｐｅｒ  Ｓｕｐｐｌｙ」、「Ｐｒｅｖｉｅｗ」の順番に、例えば上から並べて表示される。
なお、「Ｒｅｄｕｃｅ／Ｅｎｌａｒｇｅ」、「Ｐａｐｅｒ  Ｓｕｐｐｌｙ」、「Ｐｒｅｖｉｅｗ」の設定項目のうち、第１の表示領域以外の表示領域に表示される設定項目が存在する場合、その設定項目は第１の表示領域には表示しなくてもよい。
また、第１の表示領域に「Ｒｅｄｕｃｅ／Ｅｎｌａｒｇｅ」、「Ｐａｐｅｒ  Ｓｕｐｐｌｙ」、「Ｐｒｅｖｉｅｗ」を表示したとしても、第１の表示領域に、まだ設定項目を表示するための空きがある場合、さらに、設定項目一覧の他の設定項目が第１の表示領域に表示される。
【００５２】
また、図６に示す「Ｐｒｅｖｉｅｗ」のように、関連性が高い他の設定項目が定められていない設定項目も存在する。このような設定項目が選択された場合、第１の表示領域には、例えば、設定項目を表示する順番として予め定められた順番に従って、最も上位の設定項目から順番に表示される。
なお、一の設定項目と他の設定項目との関連性を示す情報は、設定項目同士の関連性を示すものであればよく、図６の例に限られない。例えば、一の設定項目と他の設定項目との関連性の度合を数値で定めてもよい。
【００５３】
（操作者の過去の操作履歴に基づいて表示する例）
表示制御部１１５は、操作者の過去の操作履歴に基づいて、第１の表示領域に設定項目を表示してもよい。即ち、予め定められた規則を、操作者の過去の操作履歴に応じて定められた規則としてもよい。
【００５４】
例えば、表示制御部１１５は、操作者が過去に選択した頻度の高い設定項目を優先して、第１の表示領域に表示する。
より具体的には、表示制御部１１５は、操作履歴記憶部１１７から、ログインした操作者の操作履歴を取得する。また、表示制御部１１５は、取得した操作履歴を基に、設定項目一覧の各設定項目について、操作者が過去に選択した回数を把握する。そして、操作者が、画面に表示された設定項目一覧において一の設定項目を選択すると、表示制御部１１５は、選択された一の設定項目を除いて、操作者が過去に選択した頻度の高い順番で設定項目を並べて、第１の表示領域に表示する。
なお、第１の表示領域以外の表示領域に表示される設定項目が存在する場合、その設定項目は第１の表示領域には表示しなくてもよい。
【００５５】
また、例えば、表示制御部１１５は、操作者が一の設定項目を選択した場合に、操作者が過去に一の設定項目の次の設定項目として選択した頻度の高い設定項目を優先して、第１の表示領域に表示してもよい。
より具体的には、表示制御部１１５は、操作履歴記憶部１１７から、ログインした操作者の操作履歴を取得する。また、表示制御部１１５は、取得した操作履歴を基に、設定項目一覧の各設定項目について、操作者が当該設定項目を選択した場合に次に選択した設定項目のそれぞれの選択回数を把握する。そして、操作者が、画面に表示された設定項目一覧において一の設定項目を選択すると、表示制御部１１５は、操作者が一の設定項目の次の設定項目として選択した頻度の高い順番で設定項目を並べて、第１の表示領域に表示する。
なお、第１の表示領域以外の表示領域に表示される設定項目が存在する場合、その設定項目は第１の表示領域には表示しなくてもよい。
【００５６】
このようにして、第１の表示領域には、操作者が選択した設定項目との関連性や、操作者の過去の操作履歴に基づいて、設定項目が表示される。
なお、表示制御部１１５は、表示する対象となる設定項目の中から無作為に設定項目を抽出して、第１の表示領域に表示してもよい。
【００５７】
＜表示制御の処理の具体例＞
次に、表示制御部１１５による表示制御の処理について、具体例を挙げて説明する。図７〜図９は、表示制御部１１５による表示制御の処理の具体例を説明するための図である。ここでは、画面に表示する設定項目の一例として、コピー機能の設定項目を表示するものとして説明する。
【００５８】
図７（Ａ）は、設定項目一覧の画像１１が表示された画面を示している。ここで、領域１２には、設定項目一覧ではない他の情報が表示されている。なお、図７（Ａ）に示す例では、３つの設定項目しか表示されていないが、操作者が画像１１を指示して矢印の方向にスクロールすることによって、画像１１が矢印方向に移動する。その結果、領域１２にも設定項目が表示されるようになり、例えば図７（Ｂ）に示すように、３つの設定項目以外の設定項目も表示されるようになる。
【００５９】
次に、図７（Ａ）又は図７（Ｂ）の画像１１において、操作者が、「２  Ｓｉｄｅｄ  Ｃｏｐｙｉｎｇ」の設定項目を選択すると、図７（Ｃ）に示す画面が表示される。
ここで、表示制御部１１５は、選択された「２  Ｓｉｄｅｄ  Ｃｏｐｙｉｎｇ」を、画面内の予め定められた位置である位置１３に配置する。また、表示制御部１１５は、「２  Ｓｉｄｅｄ  Ｃｏｐｙｉｎｇ」の直下に、表示領域を確保する。ここでは、確保された表示領域のうち、左右に分割した左側の表示領域が、第２の表示領域１５である。また、確保された表示領域のうち、左右に分割した右側の表示領域が、第１の表示領域１４である。
【００６０】
そして、表示制御部１１５は、第２の表示領域１５に、「２  Ｓｉｄｅｄ  Ｃｏｐｙｉｎｇ」に対応する設定情報を配置する。図７（Ｃ）に示す例では、「１→１  Ｓｉｄｅｄ」、「１→２  Ｓｉｄｅｄ」、「２→１  Ｓｉｄｅｄ」、「２→２  Ｓｉｄｅｄ」という４つの項目が設定情報として配置される。ここで、デフォルトで「１→１  Ｓｉｄｅｄ」が指定されているが、操作者は、他の項目を指定することが可能である。
【００６１】
また、表示制御部１１５は、第１の表示領域１４に設定項目を配置する。ここで、表示制御部１１５は、操作者が選択済みの設定項目、及び、第１の表示領域１４以外に表示される設定項目を除き、予め定められた規則に従って、設定項目を配置する。図７（Ｃ）に示す例では、「２  Ｓｉｄｅｄ  Ｃｏｐｙｉｎｇ」が選択済みである。また、第１の表示領域１４以外に表示される設定項目として、「Ｃｏｌｏｒ  Ｍｏｄｅ」、「２Ｓｉｄｅｄ  Ｃｏｐｙｉｎｇ」、「Ｐａｐｅｒ  Ｓｕｐｐｌｙ」が存在する。そこで、表示制御部１１５は、これら３つの設定項目を除いて、予め定められた規則に従って、設定項目を配置する。
【００６２】
この例では、表示制御部１１５は、設定項目を表示する順番として予め定められた順番に従って、設定項目を配置する。その結果、第１の表示領域１４には、最も上位の設定項目から順番に、「Ｒｅｄｕｃｅ／Ｅｎｌａｒｇｅ」、「Ｏｒｉｇｉｎａｌ  Ｔｙｐｅ」、「Ｐｒｅｖｉｅｗ」、「Ｎ−ｕｐ」が表示される。
ここで、上述したように、選択された「２  Ｓｉｄｅｄ  Ｃｏｐｙｉｎｇ」との関連性や操作者の過去の操作履歴に基づいて、設定項目を表示してもよい。
【００６３】
付言すると、操作者が「２  Ｓｉｄｅｄ  Ｃｏｐｙｉｎｇ」の設定項目を選択する前には、図７（Ａ）に示す画面では、「Ｃｏｌｏｒ  Ｍｏｄｅ」、「２  Ｓｉｄｅｄ  Ｃｏｐｙｉｎｇ」、「Ｐａｐｅｒ  Ｓｕｐｐｌｙ」という３つの設定項目が表示されている。また、図７（Ｂ）に示す画面では、合計で７つの設定項目が表示されている。一方、操作者が「２  Ｓｉｄｅｄ  Ｃｏｐｙｉｎｇ」の設定項目を選択すると、図７（Ｃ）に示すように、第１の表示領域１４には４つの設定項目が表示され、第１の表示領域１４以外の表示領域には、３つの設定項目が表示されている。即ち、図７（Ａ）に示す画面と図７（Ｃ）に示す画面とを比較すると、画面に表示される設定項目は４つ増加する。また、図７（Ｂ）に示す画面と図７（Ｃ）に示す画面とを比較すると、画面に表示される設定項目は７つで変わらない。
よって、本実施の形態において、表示制御部１１５は、操作者が一の設定項目を選択した場合に、一の設定項目に対応する設定情報を表示するとともに、画面に表示される設定項目の数が一の設定項目を選択する前の状態から減らないように、他の設定項目を画面に表示するものとして捉えることもできる。
【００６４】
次に、図７（Ｃ）に示す第１の表示領域１４において、操作者が、「Ｏｒｉｇｉｎａｌ  Ｔｙｐｅ」の設定項目を選択すると、図８（Ａ）に示す画面が表示される。
ここで、表示制御部１１５は、選択された「Ｏｒｉｇｉｎａｌ  Ｔｙｐｅ」を、画像内の予め定められた位置である位置１３に配置する。そして、「Ｏｒｉｇｉｎａｌ  Ｔｙｐｅ」が配置される前に位置１３に配置されていた「２  Ｓｉｄｅｄ  Ｃｏｐｙｉｎｇ」を、「Ｏｒｉｇｉｎａｌ  Ｔｙｐｅ」の上に配置する。なお、領域１６には、「２  Ｓｉｄｅｄ  Ｃｏｐｙｉｎｇ」の設定情報として、「１→１  Ｓｉｄｅｄ」が指定されたことが示されている。
【００６５】
また、表示制御部１１５は、第２の表示領域１５に、「Ｏｒｉｇｉｎａｌ  Ｔｙｐｅ」に対応する設定情報を配置する。図８（Ａ）に示す例では、「Ｔｅｘｔ」、「Ｐｈｏｔｏ」、「Ｐｈｏｔｏ＆Ｔｅｘｔ」、「Ｍａｐ」という４つの項目が設定情報として配置される。ここで、デフォルトで「Ｔｅｘｔ」が指定されているが、操作者は、他の項目を指定することが可能である。
【００６６】
さらに、表示制御部１１５は、第１の表示領域１４に設定項目を配置する。ここで、表示制御部１１５は、操作者が選択済みの設定項目、及び、第１の表示領域１４以外に表示される設定項目を除き、予め定められた規則に従って、設定項目を配置する。図８（Ａ）に示す例では、「２  Ｓｉｄｅｄ  Ｃｏｐｙｉｎｇ」、「Ｏｒｉｇｉｎａｌ  Ｔｙｐｅ」が選択済みである。また、第１の表示領域１４以外に表示される設定項目として、「２Ｓｉｄｅｄ  Ｃｏｐｙｉｎｇ」、「Ｏｒｉｇｉｎａｌ  Ｔｙｐｅ」、「Ｐａｐｅｒ  Ｓｕｐｐｌｙ」が存在する。そこで、表示制御部１１５は、これら３つの設定項目を除いて、予め定められた規則に従って、設定項目を配置する。
【００６７】
ここでは、図７（Ｃ）と同様に、設定項目を表示する順番として予め定められた順番に従って、設定項目を配置する。その結果、第１の表示領域１４には、最も上位の設定項目から順番に、「Ｃｏｌｏｒ  Ｍｏｄｅ」、「Ｒｅｄｕｃｅ／Ｅｎｌａｒｇｅ」、「Ｐｒｅｖｉｅｗ」、「Ｎ−ｕｐ」が表示される。
付言すると、図８（Ａ）の第１の表示領域１４では、図７（Ｃ）の第１の表示領域１４に表示されていなかった設定項目として、新たに「Ｃｏｌｏｒ  Ｍｏｄｅ」が表示される。
【００６８】
次に、図８（Ａ）に示す第１の表示領域１４において、操作者が、「Ｃｏｌｏｒ  Ｍｏｄｅ」の設定項目を選択すると、図８（Ｂ）に示す画面が表示される。
ここで、表示制御部１１５は、選択された「Ｃｏｌｏｒ  Ｍｏｄｅ」を、画像内の予め定められた位置である位置１３に配置する。そして、「Ｃｏｌｏｒ  Ｍｏｄｅ」が配置される前に位置１３に配置されていた「Ｏｒｉｇｉｎａｌ  Ｔｙｐｅ」を、「Ｃｏｌｏｒ  Ｍｏｄｅ」の上に配置する。なお、領域１７には、「Ｏｒｉｇｉｎａｌ  Ｔｙｐｅ」の設定情報として、「Ｔｅｘｔ」が指定されたことが示されている。
【００６９】
また、表示制御部１１５は、第２の表示領域１５に、「Ｃｏｌｏｒ  Ｍｏｄｅ」に対応する設定情報を配置する。図８（Ｂ）に示す例では、「Ａｕｔｏ」、「Ｃｏｌｏｒ」、「２−Ｃｏｌｏｒｓ」、「Ｍｏｎｏｃｈｒｏｍｅ」という４つの項目が設定情報として配置される。ここで、デフォルトでは「Ａｕｔｏ」が指定されているが、操作者が「Ｃｏｌｏｒ」を選択したことにより、図示の例では「Ｃｏｌｏｒ」が指定された状態にある。
【００７０】
さらに、表示制御部１１５は、第１の表示領域１４に設定項目を配置する。ここで、表示制御部１１５は、操作者が選択済みの設定項目、及び、第１の表示領域１４以外に表示される設定項目を除き、予め定められた規則に従って、設定項目を配置する。図８（Ｂ）に示す例では、「２  Ｓｉｄｅｄ  Ｃｏｐｙｉｎｇ」、「Ｏｒｉｇｉｎａｌ  Ｔｙｐｅ」、「Ｃｏｌｏｒ  Ｍｏｄｅ」が選択済みである。また、第１の表示領域１４以外に表示される設定項目として、「Ｏｒｉｇｉｎａｌ  Ｔｙｐｅ」、「Ｃｏｌｏｒ  Ｍｏｄｅ」、「Ｐａｐｅｒ  Ｓｕｐｐｌｙ」が存在する。そこで、表示制御部１１５は、「２  Ｓｉｄｅｄ  Ｃｏｐｙｉｎｇ」、「Ｏｒｉｇｉｎａｌ  Ｔｙｐｅ」、「Ｃｏｌｏｒ  Ｍｏｄｅ」、「Ｐａｐｅｒ  Ｓｕｐｐｌｙ」の４つの設定項目を除いて、予め定められた規則に従って、設定項目を配置する。
【００７１】
ここでは、図７（Ｃ）と同様に、設定項目を表示する順番として予め定められた順番に従って、設定項目を配置する。その結果、第１の表示領域１４には、最も上位の設定項目から順番に、「Ｒｅｄｕｃｅ／Ｅｎｌａｒｇｅ」、「Ｐｒｅｖｉｅｗ」、「Ｎ−ｕｐ」、「Ｌｉｇｈｔｅｎ／Ｄａｒｋｅｎ」が表示される。
付言すると、図８（Ｂ）に示す例では、これまで画面に表示されていなかった設定項目として、新たに「Ｌｉｇｈｔｅｎ／Ｄａｒｋｅｎ」が表示される。
【００７２】
このようにして、操作者が、設定項目一覧の画像１１から設定項目を選択することにより、第１の表示領域１４及び第２の表示領域１５が新たに設けられる。そして、第１の表示領域１４に設定項目が表示されるとともに、第２の表示領域１５には操作者が選択した設定項目に対応する設定情報が表示される。
また、操作者は、続けて、第１の表示領域１４に表示された設定項目を選択することが可能である。操作者の選択に合わせて、第２の表示領域１５に表示される設定情報が切り替わり、第１の表示領域１４に表示される設定項目も切り替わる。そして、例えば、図８（Ｂ）に示すように、操作者による設定項目の選択前に画面に表示されていなかった設定項目が、新たに第１の表示領域１４に表示されるようになり、操作者は、画面をスクロールしなくても、新たな設定項目が選択可能になる。また、この例では、操作者が選択した設定項目に対応する設定情報は、ポップアップで表示されるわけではないため、操作者がポップアップを閉じる操作も不要である。
【００７３】
また、図８（Ａ）の「２Ｓｉｄｅｄ  Ｃｏｐｙｉｎｇ」や、図８（Ｂ）の「Ｏｒｉｇｉｎａｌ  Ｔｙｐｅ」のように、操作者が選択した設定項目は、設定項目一覧の上位に順番に配置されていく。
図９（Ａ）は、操作者が選択した設定項目の一例を示す図である。図示の例は、操作者が、「２Ｓｉｄｅｄ  Ｃｏｐｙｉｎｇ」、「Ｏｒｉｇｉｎａｌ  Ｔｙｐｅ」、「Ｃｏｌｏｒ  Ｍｏｄｅ」、「Ｒｅｄｕｃｅ／Ｅｎｌａｒｇｅ」、「Ｐａｐｅｒ  Ｓｕｐｐｌｙ」、「Ｐｒｅｖｉｅｗ」、「Ｎ−ｕｐ」の順番に選択したものである。付言すると、設定項目の並び順は、図７（Ｂ）の最初の並び順から変わり、操作者が選択した順番による並び順になる。また、操作者が選択した設定項目のそれぞれについて、操作者によって採用された設定情報（即ち、デフォルトの設定情報又は操作者が選択した設定情報）が表示される。
【００７４】
なお、図９（Ａ）に示す例は、操作者が「Ｎ−ｕｐ」を選択した状態であり、操作者が画面を矢印の方向にスクロールすることにより、図９（Ｂ）に示す画面が表示される。図９（Ｂ）の画面では、第２の表示領域１５に、「Ｎ−ｕｐ」に対応する設定情報が表示される。また、第１の表示領域１４には、設定項目一覧において、操作者がまだ選択していない設定項目が表示される。
【００７５】
以上説明したように、本実施の形態では、操作者が設定項目一覧の中から最初に設定項目を選択した場合、第１の表示領域及び第２の表示領域を新たに設ける。そして、第１の表示領域には、操作者が選択した設定項目を除く他の設定項目を表示し、第２の表示領域には、操作者が選択した設定項目に対応する設定情報を表示する。続けて、操作者が第１の表示領域において設定項目を選択した場合、第１の表示領域には、操作者が選択した設定項目を除く他の設定項目を表示し、第２の表示領域には、操作者が選択した設定項目に対応する設定情報を表示する。このような構成により、操作者が設定項目を選択する操作によって、画面に表示される設定項目が更新される。
【００７６】
なお、上述した例では、操作者が選択した設定項目が表示される位置の直下に、第１の表示領域及び第２の表示領域を設けたが、第１の表示領域及び第２の表示領域の位置は、このような位置に限られない。例えば、操作者が選択した設定項目が表示される位置の直上に、第１の表示領域及び第２の表示領域を設けてもよい。また、例えば、操作者が選択した設定項目が表示される位置と、第１の表示領域及び第２の表示領域との間に、他の情報を表示してもよい。
【００７７】
また、上述した例では、新たに確保した表示領域を左右に分割して、右側の表示領域を第１の表示領域、左側の表示領域を第２の表示領域としたが、このような構成に限られない。例えば、右側の表示領域を第２の表示領域、左側の表示領域を第１の表示領域としてもよい。また、新たに確保した表示領域を左右に分割する構成にも限られない。例えば、新たに確保した表示領域を上下に分割して、一方の表示領域を第１の表示領域、他方の表示領域を第２の表示領域としてもよい。
【００７８】
また、上述した例では、第１の表示領域に表示する設定項目の数を４つにしたが、設定項目の数は４つに限られない。４つ未満でもよいし、５つ以上でもよい。
さらに、操作者が選択した設定項目によって、第１の表示領域に表示する設定項目の数を変更してもよい。例えば、操作者が選択した設定項目に関連する他の設定項目の数が多ければ、５つ以上の設定項目を表示してもよい。ここで、第１の表示領域に表示する設定項目の数に合わせて、第１の表示領域のサイズを大きくしたり、第１の表示領域に収まるように設定項目の文字を小さくしたりしてもよい。
【００７９】
同様に、上述した例では、第２の表示領域に表示する設定情報の項目の数を４つにしたが、この項目の数は４つに限られない。４つ未満でもよいし、５つ以上でもよい。
さらに、操作者が選択した設定項目によって、第２の表示領域に表示する設定情報の項目数を変更してもよい。例えば、操作者が選択した設定項目に対応する設定情報が４項目存在する場合には、第２の表示領域にその４項目を表示し、操作者が選択した設定項目に対応する設定情報が５項目存在する場合には、第２の表示領域にその５項目を表示してもよい。ここで、第２の表示領域に表示する設定情報の項目数に合わせて、第２の表示領域のサイズを大きくしたり、第２の表示領域に収まるように設定情報の文字を小さくしたりしてもよい。
【００８０】
また、第１の表示領域に表示する設定項目の数と、第２の表示領域に表示する設定情報の項目数とは、同じであってもよいし、異なってもよい。第１の表示領域に表示する設定項目の数と、第２の表示領域に表示する設定情報の項目数とが異なる場合には、第１の表示領域及び第２の表示領域のサイズを同じにしてもよいし、異ならせてもよい。
【００８１】
このように、本実施の形態では、第１の表示領域に表示する設定項目の数を、予め定められた数として固定にしなくてもよい。操作者が設定項目を選択することによって、第１の表示領域に表示される設定項目が更新されたらよい。付言すると、本実施の形態において、表示制御部１１５は、第１の表示領域に表示された複数の設定項目のうち、一の設定項目が操作者によって選択された場合に、第１の表示領域には、複数の設定項目とは別の設定項目を新たに表示するとともに一の設定項目を表示せず、第２の表示領域には、一の設定項目に対応する設定情報を表示するものとして捉えることができる。ここで、図７〜図９の例で示したように、第１の表示領域には、一の設定項目の選択前に表示されていた複数の設定項目のうち、一の設定項目以外のものを再度表示してもよい。
【００８２】
また、上述した例では、画像処理装置１００はタッチパネルを備え、操作者は画面に接触して操作を行うこととしたが、このような構成に限られない。例えば、画像処理装置１００は、マウス等のポインティングデバイスを備え、操作検知部１１２は、操作者のポインティングデバイスによる操作を受け付けてもよい。また、例えば、画像処理装置１００が入力ボタン等の入力手段を備え、操作検知部１１２は、操作者の入力ボタンによる操作を受け付けてもよい。
【００８３】
さらに、上述した例では、画像処理の機能における設定項目を表示し、操作者の選択を受け付けて、その選択に従って画面の表示を制御した。ただし、本実施の形態に係る設定項目は、画像処理の機能における設定項目に限られるものではなく、操作者の選択を受け付ける項目であればどのようなものでもよい。例えば、画像処理装置１００にて実行中又は実行待機中のジョブの一覧、画像処理装置１００からデータを送信するときの宛先となるアドレスの一覧などを表示し、ジョブやアドレスに対する操作者の選択を受け付けて、画面の表示を制御してもよい。
【００８４】
＜ハードウェア構成の他の例＞
また、上述した例では画像処理装置１００を用いた構成について説明を行ったが、ＰＣ（Personal Computer）や、携帯情報端末（いわゆる、スマートフォンやタブレット端末等）など、表示機構を備える他の装置に本実施の形態を適用することも可能である。そこで、画像処理装置１００の代わりに、例えばＰＣや携帯情報端末などのコンピュータ２００を用いるものとして、コンピュータ２００のハードウェア構成について説明する。
【００８５】
図１０は、本実施の形態が適用されるコンピュータ２００のハードウェア構成例を示した図である。
図示するように、コンピュータ２００は、演算手段であるＣＰＵ２０１と、ＢＩＯＳ（Basic Input Output System）等のプログラムを格納する記憶領域であるＲＯＭ２０２と、プログラムの実行領域であるＲＡＭ２０３とを備える。また、コンピュータ２００は、ＯＳやアプリケーション等の各種プログラム、各種プログラムに対する入力データ、各種プログラムからの出力データ等を記憶する記憶領域であるＨＤＤ（Hard Disk Drive）２０４を備える。そして、ＲＯＭ２０２やＨＤＤ２０４等に記憶されたプログラムが、ＲＡＭ２０３に読み込まれてＣＰＵ２０１に実行されることにより、コンピュータ２００の機能が実現される。
さらに、コンピュータ２００は、外部との通信を行うための通信インタフェース（通信Ｉ／Ｆ）２０５と、ディスプレイ等の表示機構２０６と、キーボードやマウス、タッチパネル等の入力デバイス２０７とを備える。
【００８６】
また、本発明の実施の形態を実現するプログラムは、通信手段により提供することはもちろん、ＣＤ−ＲＯＭ等の記録媒体に格納して提供することも可能である。
【００８７】
なお、上記では種々の実施形態および変形例を説明したが、これらの実施形態や変形例どうしを組み合わせて構成してももちろんよい。
また、本開示は上記の実施形態に何ら限定されるものではなく、本開示の要旨を逸脱しない範囲で種々の形態で実施することができる。
【符号の説明】
【００８８】
１００…画像処理装置、１０４…表示機構、１１１…表示部、１１２…操作検知部、１１３…ジェスチャー判別部、１１４…設定項目記憶部、１１５…表示制御部、１１６…ユーザ認証部、１１７…操作履歴記憶部
【図１】
2020135385.tif 000003
【図２】
2020135385.tif 000004
【図３】
2020135385.tif 000005
【図４】
2020135385.tif 000006
【図５】
2020135385.tif 000007
【図６】
2020135385.tif 000008
【図７】
2020135385.tif 000009
【図８】
2020135385.tif 000010
【図９】
2020135385.tif 000011
【図１０】
2020135385.tif 000012